(57)【要約】【課題】  並列、直列、Ｌ形配列が可能な組立式ラックの提供。【解決手段】  略Ｌ形或いはＴ形の支柱が波形網棚の四隅の支持に供され、該支柱が一つ或いは二つの対称な横向き板面と縦向き板面を具え、横向き、縦向き板面に直線状配列された係止孔が設けられ、網棚の位置決め板の係止に供され、並びに隣り合うラックのＬ形支柱とＬ形支柱が接続されるか、Ｌ形支柱とＴ形支柱が交互に使用されて、直接ラックを移動可能で、また空間を節約できる機能を有する。【選択図】        図３
0003108540.tif 000002
【実用新案登録請求の範囲】
【請求項１】
複数の網棚及び複数の支柱を具え、該網棚の四つの角部に位置決め板が固定され、支柱に直列に配列された複数の係止孔が設けられ、該位置決め板にフックが設けられて支柱の係止孔内に係合され位置決めされる、組立式ラックにおいて、
該支柱が少なくとも一つの縦向き板面と横向き板面を具え、縦向き板面と横向き板面に上から下に配列された係止孔が設けられ、これにより支柱の横向き板面が上下の網棚の位置決め板の位置決めに供され、縦向き板面が中間の網棚の位置決めに供され、並びに複数の組立式ラックを併合して直列或いはＬ形配列可能とされたことを特徴とする、組立式ラック。
【請求項２】
請求項１記載の組立式ラックにおいて、支柱がＬ形断面を呈し、縦向き板面と横向き板面が二つの内側面とされ、外側の角部にそれぞれ挿入孔が設けられてＵ形の挿入片の挿入に供されて二つの併合される支柱を相互に結合させることを特徴とする、組立式ラック。
【請求項３】
請求項１記載の組立式ラックにおいて、支柱がＴ形断面を呈し、二つの縦向き板面と横向き板面を具え、直接ラックを併合して支柱を共用するのに供されることを特徴とする、組立式ラック。
【考案の詳細な説明】
【技術分野】
【０００１】
本考案は放置、展示用の組立式ラックに係り、更に詳しくは、並列、直列、Ｌ形配列が可能な組立式ラックに関する。
【背景技術】
【０００２】
周知のように網棚式の組立式ラックは物品の放置に供され、その強固さと支持力の強さから家庭、工場、店舗等で喜ばれている。図１、２は伝統的なよく見受けられる組立式ラック５０であり、四つの角部の支柱５１、複数の網棚５２及び角部のスリーブ５３を具え、該スリーブ５３の上端の口径は下端の口径より小さく、該支柱５１は複数の環状の位置決め溝５１１を具え、並びに対称な円弧片５４による被覆に供され、該円弧片５４は上端円弧が下端円弧より小さく、二つの円弧片５４が併合されて上端口径が下端口径より小さい円錐筒を形成し、該円弧片５４が相互に対応する凹部５４１と凸部５４２を具え、円弧片５４の内面に凸條５４３が設けられ、凸條５４３は位置決め柱５１の位置決め溝５１１内に嵌め込まれる。
【０００３】
組合せ時には、二つの円弧片５４が位置決め柱５１を被覆し、その凸條５４３が位置決め柱５１の位置決め溝５１１内に嵌入し、更に位置決め柱５１及び二つの円弧片５４が下から上にスリーブ５３内に挿入され、並びに網棚５２を下圧して位置決めされる。スリーブ５３の口径は上が小さく下が大きく、併合された円弧片５４の口径もまた上が小さく下が大きく、ゆえに網棚５２で重力を積載する時には、二つの円弧片５４の凸條５４３がますます位置決め柱５１の位置決め溝５１１内に嵌入して位置決めされ、離脱の恐れがなくなり、並びに使用者により網棚５２の高さが調整される。
【０００４】
しかし、もし二つのラック５０が併合、接続される時、隣り合う支柱５１を共用することはできず、もし支柱５１を共用しようとすれば、網棚５２の一方が高くなり、もう一方が低くなり（図２）、組合せの不一致が形成されるか、或いは物品を放置不能となり、このためこのような網式ラック５０の併用は、上述の欠点を克服する必要がある。
【考案の開示】
【考案が解決しようとする課題】
【０００５】
本考案は一種の組立式ラックを提供し、それは、複数の網棚及び複数の支柱を具え、該網棚の四つの角部に位置決め板が設けられ、支柱に複数の直列配列された係止孔が設けられ、位置決め板にフックが設けられて支柱の係止孔内に係止され位置決めされる。本考案の特徴は以下のとおりである。すなわち、該支柱に少なくとも一つの縦向き板面と横向き板面が設けられ、縦向き板面と横向き板面のいずれにも上から下に配列された係止孔が設けられている。これにより、支柱の横向き板面が上、下の網棚の位置決め板の位置決めに供され、縦向き板面が中間の網棚の位置決めに供され、並びに複数のラックが併合されて、直列配列或いはＬ形配列のラックを形成する。
【０００６】
即ち、本考案の主要な目的は、速やかに組立或いは分解でき、且つ隣り合う支柱を併合して直列配列或いはＬ形配列することができる組立式ラックを提供することにある。
【０００７】
本考案の別の目的は、複数のラックを併合する時、そのうち一つのラックを移動させることができ、全部を分解する必要がない組立式ラックを提供することにある。
【課題を解決するための手段】
【０００８】
請求項１の考案は、複数の網棚及び複数の支柱を具え、該網棚の四つの角部に位置決め板が固定され、支柱に直列に配列された複数の係止孔が設けられ、該位置決め板にフックが設けられて支柱の係止孔内に係合され位置決めされる、組立式ラックにおいて、
該支柱が少なくとも一つの縦向き板面と横向き板面を具え、縦向き板面と横向き板面に上から下に配列された係止孔が設けられ、これにより支柱の横向き板面が上下の網棚の位置決め板の位置決めに供され、縦向き板面が中間の網棚の位置決めに供され、並びに複数の組立式ラックを併合して直列或いはＬ形配列可能とされたことを特徴とする、組立式ラックとしている。
請求項２の考案は、請求項１記載の組立式ラックにおいて、支柱がＬ形断面を呈し、縦向き板面と横向き板面が二つの内側面とされ、外側の角部にそれぞれ挿入孔が設けられてＵ形の挿入片の挿入に供されて二つの併合される支柱を相互に結合させることを特徴とする、組立式ラックとしている。
請求項３の考案は、請求項１記載の組立式ラックにおいて、支柱がＴ形断面を呈し、二つの縦向き板面と横向き板面を具え、直接ラックを併合して支柱を共用するのに供されることを特徴とする、組立式ラックとしている。
【考案の効果】
【０００９】
本考案は並列、直列、Ｌ形配列が可能な組立式ラックを提供し、それは、略Ｌ形或いはＴ形の支柱が波形網棚の四隅の支持に供され、該支柱が一つ或いは二つの対称な横向き板面と縦向き板面を具え、横向き、縦向き板面に直線状配列された係止孔が設けられ、網棚の位置決め板の係止に供され、並びに隣り合うラックのＬ形支柱とＬ形支柱が接続されるか、Ｌ形支柱とＴ形支柱が交互に使用されて、直接ラックを移動可能で、また空間を節約できる機能を有する。
【考案を実施するための最良の形態】
【００１０】
本考案の組立式ラックは、図３、４に示されるように、複数の網棚１０及び複数の支柱２０を具え、該網棚１０の四つの角部には位置決め板１２が固定され、該位置決め板１２は二つのフック１１１を具え、該フック１１１は横向きの位置を呈し、上、下の網棚１０の位置決めに供され、また中間の網棚１０’の位置決め板１２にも、二つのフック１２１が設けられ、該フック１２１は縦向き位置を呈し、位置決め板１２に更に水平の置き板１２２が設けられている。該支柱２０は網棚１０の四つの角部位置に組み合わされ、支柱２０は略Ｌ形断面を呈し、二つの内側面と横向き板面２１と縦向き板面２２に分けられ、横向き板面２１に上から下に配列された複数の係止孔２１１が設けられ、縦向き板面２２にも複数の係止孔２２１が設けられ、横向き板面２１の係止孔２１１が上下の網棚１０の位置決め板１１のフック１１１を係止するのに供され、縦向き板面２２の係止孔２２１が中間の網棚１０’の位置決め板１２のフック１２１を係止するのに供される。該中間の網棚１０’と位置決め板１２は分離され、位置決め板１２の置き板１２２により中間の網棚１０’が放置される。該支柱２０の外側の角部に二列の相互に対応する挿入孔２３が設けられてＵ形の挿入片２４の挿入に供され、挿入片２４に二つの位置決め溝２４１が設けられている（図１０）。
【００１１】
以上の構造が組み合わされて本考案のラックが構成され、図５、６に示されるように、組合せ時には、下から上に網棚１０、１０’が四つの支柱２０に位置決めされ、下方の網棚１０の四つの位置決め板１１のフック１１１が四つの支柱２０の横向き板面２１の係止孔２１１内に係合され、図７、８、９に示されるように、更に中間の網棚１０’が四つの位置決め板１２のフック１２１の、四つの支柱２０の縦向き板面２２の係止孔２２１内への係合により、四つの位置決め板１２の置き板１２２上に位置決めされ、更に図５、６に示されるように、最上層の網棚１０の四つの位置決め板１１のフック１１１が四つの支柱２０の上方の横向き板面２１の係止孔２１１内に係合され、組立が完成する。
【００１２】
本考案は縦、横方向の組立は、中間の網棚１０’の組立を容易とし、固定式の位置決め板１１が上下の網棚１０に適用され、中間の網棚１０’の位置決め板１２に分離式が採用されて固定式フック１１１の誤差問題が解消され、中間の網棚１０’の組立が容易でない欠点を解決する。
【００１３】
本考案は複数のラックを併合でき、図１０、１１、１２に示されるように、二つのラックを並列に近接して結合させ、並びに複数の挿入片２４を挿入孔２３内に挿入し、更に下向きに挿入片２４を押圧して挿入片２４の位置決め溝２４１に支柱２０の壁体を進入させることで、隣り合う支柱２０と支柱２０を結合させ分離しないようにすることができ、これにより複数のラックの併合に位置ずれを発生させない。またそのうち一つのラックを移動させたい時は、挿入片２４を取り外せばそのうち一つのラックを移動させることができ、全体のラックを分解する必要がなく、非常に便利である。
【００１４】
図１３に示されるように、本考案のラックは併合してＬ形配列とすることができ、それは支柱２０とそれに隣り合うもう一つの支柱２０を縦向きと横向きに併合すればよい。
【００１５】
本考案の第２実施例は、Ｌ形断面の支柱が、図１４に示される形状に形成され、支柱３０の外角部分が階段状に形成されて挿入孔３３が設けられ、同様に横向き板面３１と係止孔３１１、及び縦向き板面３２と係止孔３２１が設けられ、網棚１０（１０’）の位置決め板１１（１２）のフック１１１（１２１）の係合に供され、上述の実施例と同様の組立動作を行なえる。
【００１６】
本考案の第３実施例は、支柱４０がＴ形断面の形状に形成され、図１５に示されるようであり、支柱４０に二つの両側が対称な横向き板面４１と二つの相互に背向する縦向き板面４２が設けられ、それぞれに直列する複数の係止孔４１１、４２１が設けられ、同様に網棚１０（１０’）の位置決め板１１（１２）のフック１１１（１２１）の係合に供され、このラックは直接同一の支柱４０を共用して併合の動作を行なえ、隣り合うラックが別の一辺の横向き板面４１と縦向き板面４２を使用でき、別の支柱と隣接させる必要がない。
【００１７】
本考案は支柱２０、３０、４０を交互に使用して、併合する時に、更に自在に組み合わせることができ、併合時に空間を発生して空間を浪費するのを防止でき、図１６に示されるように、Ｔ形の支柱４０で隣り合うラックを併合し、Ｌ形の支柱２０で側辺を支持し、並びに併合されたラックの両側に縦向きのラックを併合し、この縦方向のラックはいずれもＬ形の支柱２０で支持し、交互に支柱２０、４０を使用することで、全部Ｔ形支柱を使用することにより端面より半面が突出して余分の空間が突出してしまうのを防止できる。
【００１８】
総合すると、本考案の組立式ラックは実用性、新規性、進歩性を具備している。
【図面の簡単な説明】
【００１９】
【図１】周知の組立式ラックの立体分解図である。
【図２】周知の組立式ラックの組合せ断面図である。
【図３】本考案の立体分解図である。
【図４】本考案の立体組合せ図である。
【図５】本考案の上、下の網棚の位置決め板を支柱に結合させた水平方向断面図である。
【図６】本考案の上、下の網棚の位置決め板を支柱に結合させた垂直方向断面図である。
【図７】本考案の中間の網棚の位置決め板を支柱に結合させた垂直横向き断面図である。
【図８】本考案の中間の網棚の位置決め板を支柱に結合させた水平方向断面図である。
【図９】本考案の中間の網棚の位置決め板を支柱に結合させた垂直縦向き断面図である。
【図１０】本考案の支柱と挿入片の立体分解図である。
【図１１】本考案の支柱と挿入片の組合せ断面図である。
【図１２】本考案の複数のラックを併合して直列配列形態とした立体図である。
【図１３】本考案の複数のラックを併合してＬ形配列形態とした平面図である。
【図１４】本考案の第２実施例の支柱に網棚を結合させた断面図である。
【図１５】本考案の第３実施例の支柱に網棚を結合させた断面図である。
【図１６】本考案のＬ形とＴ形支柱を交互に使用して複数のラックを併合した平面図である。
【符号の説明】
【００２０】
５０  ラック                    ５２  網棚          ５４１  凹部
５１  支柱                      ５３  スリーブ      ５４２  凸部
５１１  位置決め溝              ５４  円弧片        ５４３  凸條
１０  網棚                      １０’  網棚        １１  位置決め板
１１１  フック                  １２  位置決め板    １２１  フック
１２２  置き板                  ２０  支柱          ２１  横向き板面
２１１  係止孔                  ２２  縦向き板面    ２２１  係止孔
２３  挿入孔                    ２４  挿入片        ２４１  位置決め溝
３０  支柱                      ３１  横向き板面    ３１１  係止孔
３２  縦向き板面                ３２１  係止孔      ３３  挿入孔
４０  支柱                      ４１  横向き板面    ４１１  係止孔
４２  縦向き板面                ４２１  係止孔
【図１】
0003108540.tif 000003
【図２】
0003108540.tif 000004
【図３】
0003108540.tif 000005
【図４】
0003108540.tif 000006
【図５】
0003108540.tif 000007
【図６】
0003108540.tif 000008
【図７】
0003108540.tif 000009
【図８】
0003108540.tif 000010
【図９】
0003108540.tif 000011
【図１０】
0003108540.tif 000012
【図１１】
0003108540.tif 000013
【図１２】
0003108540.tif 000014
【図１３】
0003108540.tif 000015
【図１４】
0003108540.tif 000016
【図１５】
0003108540.tif 000017
【図１６】
0003108540.tif 000018